(57)【要約】【課題】様々な場所に設置可能で、有害生物の捕獲性能や耐久性、堅牢性に優れた有害生物捕獲器を提供する。【解決手段】有害生物捕獲器１０１は、有害生物捕獲器カバー１０２と粘着シート２０１とを備える。有害生物捕獲器カバー１０２の第１平板部１０５及び第２平板部１０７は、離間して対面している。第１支持部１０４及び第２支持部１０６は、互いに離間して対面し、それぞれが第１平板部１０５と第２平板部１０７とを連結している。第１支持部１０４及び第２支持部１０６のそれぞれには、折曲部１１０が設けられる。折曲部１１０は、第１支持部１０４及び第２支持部１０６を折り曲げて、第１平板部１０５と第２平板部１０７とを近接離反させる。粘着シート２０１は、第１支持部１０４と第１平板部１０５と第２支持部１０６と第２平板部１０７とで囲われる空間内に着脱自在に配置される。【選択図】図１
2011024450.tif 000002
【特許請求の範囲】
【請求項１】
離間して対面する一対の平板部と、
離間して対面し、それぞれが前記平板部同士を連結する平板状の一対の支持部と、
各前記支持部に設けられ、当該支持部を折り曲げて前記平板部同士を近接離反させる折曲部と、
いずれか一方の前記平板部の内側面に接しさせて各前記平板部と各前記支持部とで囲われる空間内に着脱自在に配置される台紙と、前記台紙における前記空間に向く面に設けられる粘着剤と、を備える粘着シートと、
を備える有害生物捕獲器。
【請求項２】
一方の前記平板部は、前記空間に向く面で一方の前記支持部の内側面から所定距離だけ離間した箇所に突出するストッパを有し、
前記台紙は、当該台紙の側辺から前記所定距離だけ離れた箇所に当該側辺に平行に延びる粘着シート折曲部を有する、
請求項１記載の有害生物捕獲器。
【請求項３】
一方の前記平板部と一方の前記支持部と他方の前記平板部と他方の支持部と前記ストッパとは、一枚の板状部材に当該板状部材の一辺に平行な複数の折り目を設けて折り曲げ加工して当該板状部材においてこの順に並ぶよう設けられ、
前記ストッパは、一方の前記平板部における前記空間側を向く面に貼り付けられる、
請求項２記載の有害生物捕獲器。
【請求項４】
離間して対面する一対の平板部と、
離間して対面し、それぞれが前記平板部同士を連結する平板状の一対の支持部と、
各前記支持部に設けられ、当該支持部を折り曲げて前記平板部同士を近接離反させる折曲部と、
を備える有害生物捕獲器カバー。
【請求項５】
一方の前記平板部は、各前記平板部と各前記支持部とで囲われる空間に向く面で一方の前記支持部の内側面から所定距離だけ離間した箇所に突出するストッパを有する、
請求項４記載の有害生物捕獲器カバー。
【請求項６】
一方の前記平板部と一方の前記支持部と他方の前記平板部と他方の支持部と前記ストッパとは、一枚の板状部材を当該板状部材の一辺に平行な複数の折り目を設けて折り曲げ加工して当該板状部材においてこの順に並ぶよう設けられ、
前記ストッパは、一方の前記平板部における前記空間側を向く面に貼り付けられる、
請求項５記載の有害生物捕獲器カバー。
【発明の詳細な説明】
【技術分野】
【０００１】
本発明は、ネズミ、ゴキブリ等の有害生物を捕獲するための有害生物捕獲器、及び、これを構成する有害生物捕獲器カバーに関する。
【背景技術】
【０００２】
従来、台所、水周り、居間等で発生するネズミ、ゴキブリ等の有害生物を捕獲するための有害生物捕獲器がある。有害生物捕獲器は、冷蔵庫の下、流し台の脇、居間の隅等、様々な場所に設置される。この有害生物捕獲器は、粘着シートを内部に有し、内部に侵入した有害生物をこの粘着シートによって捕獲する。
【０００３】
有害生物捕獲器の一例は、特許文献１に記載の組立式粘着トラップである。この組立式粘着トラップは、略平坦な底板１と屋根板２とからなる筒状のトラップ本体と、これに挿入される粘着板３とを有する。この組立式粘着トラップでは、底板１に載置されている粘着板３の端を押さえる折り上げ突起６が、底板１の開放端部の少なくとも一箇所に設けられている。そして、特許文献１によれば、この組立式粘着トラップにおいて、粘着板３をトラップ本体に挿入して底板１に載置し折り上げ突起６の下にはさみ込むだけで、底板１に確実な固定をすることができる、とされる。
【先行技術文献】
【特許文献】
【０００４】
【特許文献１】実開平５―９５２８２号公報
【発明の概要】
【発明が解決しようとする課題】
【０００５】
有害生物捕獲器には、捕獲性能の良さ、製造コストの低減、耐久性の向上等が求められる。
【０００６】
例えば、有害生物捕獲器には、冷蔵庫の下や流し台の脇等の狭い場所にも設置できる構造が求められる。
【０００７】
また、有害生物捕獲器において、粘着シートは、この上に有害生物を通過させて捕獲するために、粘着剤を上方に向けて配置される。しかしながら、粘着剤が上方に向いたままでいると、粘着剤の上にホコリが溜まり、粘着シートが有する有害生物の捕獲性能が減少する。このため、有害生物捕獲器には、粘着シートに対する防塵をなす構造も求められる。
【０００８】
また、有害生物捕獲器は、床面に載置されてそのまま放置される。このため、有害生物捕獲器には、使用者の足が当たったり、椅子や机等の家具に接触したり、落下した食器が衝突したりすることがある。そこで、有害生物捕獲器には、使用者、家具及び食器を粘着シートに接触させなくするとともに、使用者、家具及び食器が接触しても破損しないような堅牢性が求められる。
【０００９】
さらに、有害生物捕獲器に用いられる粘着シートは、交換可能なものを用いることが望ましい。このとき、粘着シートは、有害生物捕獲器に取り付けられた状態では外れにくく、かつ、使用者が交換しようとするときには取り替えやすいことが求められる。
【００１０】
本発明は、上記の点を鑑みてなされたものであり、様々な場所に設置可能で、有害生物の捕獲性能や耐久性、堅牢性に優れた有害生物捕獲器を提供することを目的とする。
【課題を解決するための手段】
【００１１】
本発明の有害生物捕獲器は、離間して対面する一対の平板部と、離間して対面し、それぞれが前記平板部同士を連結する平板状の一対の支持部と、各前記支持部に設けられ、当該支持部を折り曲げて前記平板部同士を近接離反させる折曲部と、いずれか一方の前記平板部の内側面に接しさせて各前記平板部と各前記支持部とで囲われる空間内に着脱自在に配置される台紙と、前記台紙における前記空間に向く面に設けられる粘着剤と、を備える粘着シートと、を備える。
【００１２】
本発明の有害生物捕獲器カバーは、離間して対面する一対の平板部と、離間して対面し、それぞれが前記平板部同士を連結する平板状の一対の支持部と、各前記支持部に設けられ、当該支持部を折り曲げて前記平板部同士を近接離反させる折曲部と、を備える。
【発明の効果】
【００１３】
本発明によれば、有害生物捕獲器は折曲部によって小さくなり、様々な場所に設置可能になる。また、平板部は、粘着シートにホコリが落ちることを防ぎ、このために、使用者、家具及び食器が粘着シートに接触するが防がれる。すなわち、有害生物捕獲器における有害生物の捕獲性能が維持され、耐久性及び堅牢性が向上する。
【図面の簡単な説明】
【００１４】
【図１】有害生物捕獲器の斜視図である。
【図２】図１とは異なる方法で粘着シートを内部に位置付けた有害生物捕獲器の斜視図である。
【図３】有害生物捕獲器カバーの斜視図である。
【図４】ストッパと第２平板部とが取り付けられる前の板状部材の斜視図である。
【図５】粘着シートの平面図である。
【図６】（ａ）及び（ｂ）は、床面に設置される有害生物捕獲器を示す正面図である。
【図７】（ａ）及び（ｂ）は、床面に設置される有害生物捕獲器を示す正面図である。
【図８】（ａ）ないし（ｃ）は、二枚の粘着シートを取り付けた有害生物捕獲器を示す正面図である。
【図９】板状部材の折り曲げ箇所の加工方法の変形例を拡大して示す斜視図である。
【発明を実施するための形態】
【００１５】
実施の一形態を、図１ないし図７に基づいて説明する。図１は、有害生物捕獲器１０１の斜視図である。有害生物捕獲器１０１は、有害生物捕獲器カバー１０２と、粘着シート２０１とを備える。有害生物捕獲器カバー１０２は、概ね扁平な矩形の箱型形状をなしている。有害生物捕獲器カバー１０２は、対面する二つの箇所に開口部３０１を有し、トンネル状のトンネル空間３０２を形成している。粘着シート２０１は、有害生物捕獲器カバー１０２の中に配置され、この有害生物捕獲器カバー１０２に対して着脱自在となっている。粘着シート２０１は、台紙２０２の一面に粘着剤２０３を設け、この粘着剤２０３に合成樹脂性誘引物２０４（図５参照）を取り付けて構成される。有害生物捕獲器１０１は、冷蔵庫の下や流し台の脇に設置される。そして、有害生物捕獲器１０１は、有害生物捕獲器カバー１０２の開口部３０１から侵入したネズミ等の有害生物（図示せず）を粘着シート２０１によって捕獲する。
【００１６】
有害生物捕獲器カバー１０２は、ストッパ１０３と第１支持部１０４と第１平板部１０５と第２支持部１０６と第２平板部１０７とを有する。この有害生物捕獲器カバー１０２は、一枚の板状部材ＰＰに複数の折り目を設けて折り曲げ加工し、ストッパ１０３と第２平板部１０７とを接着剤等で固定して筒状に形成される。ストッパ１０３は、第２平板部１０７において有害生物捕獲器カバー１０２の内側を向く面に取り付けられる。また、第１平板部１０５と第２平板部１０７とは、いずれも平板状であって、トンネル空間３０２を挟んで離間して対面する。また、第１支持部１０４と第２支持部１０６とは、いずれも平板状であって、トンネル空間３０２を挟んで離間して対面する。第１支持部１０４と第２支持部１０６とは、それぞれが第１平板部１０５と第２平板部１０７とを連結している。また、ストッパ１０３は、平板状の部材である。このストッパ１０３は、第２平板部１０７における内側面から、板状部材ＰＰの厚さｄだけトンネル空間３０２に向けて突出する。このストッパ１０３は、第２支持部１０６の内側面１０６ａから離間している。
【００１７】
粘着シート２０１は、図１に示すような配置状態で有害生物捕獲器カバー１０２内に配置可能である。より詳細に述べると、図１において、第１平板部１０５の外側面は、床面ＦＬに接している。また、第２平板部１０７は、床面ＦＬから離反している。この場合、粘着シート２０１は、折り曲げられることなく、開口部３０１から導入されて第１平板部１０５に台紙２０２を接しさせてこの第１平板部１０５の上に位置付けられる。この配置状態を、第１配置状態と呼ぶ。このとき、粘着シート２０１は、第２支持部１０６の内側面１０６ａと第１支持部１０４の内側面１０４ａとに挟まれて固定される。
【００１８】
ここで、第２平板部１０７の外側面に滑止部材（図示せず）を取り付けてもよい。滑止部材は、一例として、半球形状に形成されたゴム素材であり、第２平板部１０７に接着剤によって接着されてもよいし、熱によって滑止部材の一部を溶かして接着されてもよい。この滑止部材は、有害生物捕獲器１０１が床面ＦＬ上を滑ることを防止する。
【００１９】
図２は、図１とは異なる方法で粘着シート２０１を内部に位置付けた有害生物捕獲器１０１の斜視図である。また、粘着シート２０１は、粘着シート折曲部２０６（図５も参照）を有する。これにより、粘着シート２０１は、図２に示すような配置状態で有害生物捕獲器カバー１０２内に配置可能である。より詳細に述べると、第２平板部１０７を床面ＦＬに接している。この場合、粘着シート２０１は、粘着シート折曲部２０６によって粘着剤２０３が内側を向くように折り曲げられた状態で開口部３０１から導入されて、ストッパ１０３の側面１０３ａと第２支持部１０６の内側面１０６ａとに挟まれ、第２平板部１０７に台紙２０２を接しさせて固定される。この粘着シート２０１の配置状態を、第２配置状態と呼ぶ。このとき、粘着シート２０１の一部は、第２支持部１０６に沿うようにストッパ１０３から立ち上がる。ここで、第１平板部１０５の外側面に滑止部材１０８が取り付けてもよい。
【００２０】
図３は、有害生物捕獲器カバー１０２の斜視図である。有害生物捕獲器カバー１０２は、一枚の板状部材ＰＰから形成される。板状部材ＰＰの一例は、プラスチックダンボールである。以下、板状部材ＰＰがプラスチックダンボールである場合について説明する。なお、当然のことながら、有害生物捕獲器１０１を構成する有害生物捕獲器カバー１０２を製造する素材は、板状の部材であれば良く、例えば、スチレンボードであってもよい。
【００２１】
プラスチックダンボールは、ポリプロピレン、ポリカーボネート等の素材で形成され、ボール紙製のダンボールに比べて強度と耐久性、耐水性に優れている。プラスチックダンボールは、外側を向く平面を形成するライナーと、波状形状をなし二枚のライナーに挟まれてライナーを補強する中芯とを備える。そして、板状部材ＰＰは、中芯によって形成される筋１０９の延びる方向を長辺とする長尺の平板部材である。有害生物捕獲器カバー１０２を形成するに際して、板状部材ＰＰの短辺１０２ａでは、カッター等によって二枚のライナーが切断されている。以下、このようにして切断された箇所を、切断箇所ＣＡと呼ぶ。
【００２２】
板状部材ＰＰにおいて第１支持部１０４及び第２支持部１０６のそれぞれには、短辺１０２ａに平行な短辺方向に延びる内側切れ込みＣＢが設けられる。内側切れ込みＣＢは、カッター等によって板状部材ＰＰにおいて有害生物捕獲器カバー１０２の内側に向く一枚のライナーのみが切断されて設けられる。その結果、有害生物捕獲器カバー１０２の外側に向く残り一枚のライナーは、切断されない。このような内側切れ込みＣＢが設けられることによって、第１支持部１０４及び第２支持部１０６は、いずれも内側に折り曲げ可能となる。すなわち、第１支持部１０４及び第２支持部１０６のそれぞれに設けられる内側切れ込みＣＢは、第１支持部１０４及び第２支持部１０６を折り曲げて第１平板部１０５と第２平板部１０７とを近接離反させる折曲部１１０としての役目を果たす。
【００２３】
板状部材ＰＰには、内側切れ込みＣＢとは異なる外側切れ込みＣＣも設けられる。外側切れ込みＣＣは、いずれも短辺方向に延びていて、カッター等によって板状部材ＰＰにおいて有害生物捕獲器カバー１０２の外側に向く一枚のライナーのみが切断されて設けられる。その結果、有害生物捕獲器カバー１０２の内側に向く残り一枚のライナーは、切断されない。このような外側切れ込みＣＣは、ストッパ１０３と第１支持部１０４との間、第１支持部１０４と第１平板部１０５との間、第１平板部１０５と第２支持部１０６との間、及び、第２支持部１０６と第２平板部１０７との間のそれぞれに設けられる。
【００２４】
ところで、板状部材ＰＰがプラクチックダンボールである場合、切断箇所ＣＡ、内側切れ込みＣＢ及び外側切れ込みＣＣのそれぞれには、中芯によって形成される網目形状の開口が表れる。本実施の形態では、切断箇所ＣＡ、内側切れ込みＣＢ及び外側切れ込みＣＣには加熱処理がなされており、板状部材ＰＰの一部が溶けて網目形状の開口が封止されている。
【００２５】
図４は、ストッパ１０３と第２平板部１０７とが取り付けられる前の板状部材ＰＰの斜視図である。板状部材ＰＰに対して、内側切れ込みＣＢ及び外側切れ込みＣＣが設けられる箇所について、図４に基づいて説明する。
【００２６】
まず、板状部材ＰＰの一の短辺１０２ａに対して長辺方向に距離Ｌ１だけ離れた箇所に、外側切れ込みＣＣが設けられる。この外側切れ込みＣＣを、符号「ＣＣ−１」で示す。外側切れ込みＣＣ−１と短辺１０２ａとの間の領域は、一方の平板部である第２平板部１０７となる。
【００２７】
次いで、第２平板部１０７から離れる方向に外側切れ込みＣＣ−１に対して長辺方向に距離Ｌ２（但し、Ｌ２＜Ｌ１）だけ離れた箇所に、内側切れ込みＣＢが設けられる。この内側切れ込みＣＢを、符号「ＣＢ−１」で示す。そして、第２平板部１０７から離れる方向に内側切れ込みＣＢ−１に対して長辺方向に距離Ｌ２だけ離れた箇所に、外側切れ込みＣＣが設けられる。この外側切れ込みＣＣを、符号「ＣＣ−２」で示す。外側切れ込みＣＣ−１と外側切れ込みＣＣ−２との間の領域は、一方の支持部である第２支持部１０６となる。また、内側切れ込みＣＢ−１は、折曲部１１０となる。
【００２８】
次いで、第２支持部１０６から離れる方向に外側切れ込みＣＣ−２に対して長辺方向に距離Ｌ１だけ離れた箇所に、外側切れ込みＣＣが設けられる。この外側切れ込みＣＣを、符号「ＣＣ−３」で示す。外側切れ込みＣＣ−２と外側切れ込みＣＣ−３との間の領域は、他方の平板部である第１平板部１０５となる。
【００２９】
次いで、第１平板部１０５から離れる方向に外側切れ込みＣＣ−３に対して長辺方向に距離Ｌ２だけ離れた箇所に、内側切れ込みＣＢが設けられる。この内側切れ込みＣＢを、符号「ＣＢ−２」で示す。そして、第１平板部１０５から離れる方向に内側切れ込みＣＢ−２に対して長辺方向に距離Ｌ２だけ離れた箇所に、外側切れ込みＣＣが設けられる。この外側切れ込みＣＣを、符号「ＣＣ−４」で示す。外側切れ込みＣＣ−３と外側切れ込みＣＣ−４との間の領域は、他方の支持部である第１支持部１０４となる。また、内側切れ込みＣＢ−２は、折曲部１１０となる。
【００３０】
次いで、板状部材ＰＰにおいて、第１支持部１０４から離れる方向に長辺方向に距離Ｌ３（但し、Ｌ１＞Ｌ３＞Ｌ２）だけの領域を確保させて、ストッパ１０３が設けられる。
【００３１】
すなわち、板状部材ＰＰは、長辺方向にＬ１：Ｌ２：Ｌ２：Ｌ１：Ｌ２：Ｌ２：Ｌ３の長さの比率で内側切れ込みＣＢ及び外側切れ込みＣＣで区分けされて、第２平板部１０７、第２支持部１０６の一部、第２支持部１０６の残りの一部、第１平板部１０５、第１支持部１０４の一部、第１支持部１０４の残りの一部、ストッパ１０３がこの順に長辺方向に並んで形成される。なお、当然のことながら、板状部材ＰＰを、長辺方向にＬ３：Ｌ２：Ｌ２：Ｌ１：Ｌ２：Ｌ２：Ｌ１の長さの比率で区分けしてもよい。
【００３２】
次いで、この板状部材ＰＰにおいて、短辺１０２ａと外側切れ込みＣＣ−４とを一致させて、ストッパ１０３の外側面と第２平板部１０７の内側面とが貼り付けられる。その結果、このストッパ１０３は、第２支持部１０６の内側面１０６ａから距離（Ｌ１−Ｌ３）だけ離間する（図２参照）。ここで、ストッパ１０３と第２平板部１０７とは、接着剤によって固定しても良いし、熱で板状部材ＰＰの一部を溶かした上でこれらを貼り付けて固定しても良い。このように、ストッパ１０３と第２平板部１０７とが貼り付けられた結果、板状部材ＰＰは、図１及び図２に示したような筒形状をなす有害生物捕獲器カバー１０２となって、トンネル空間３０２を形成する。
【００３３】
図５は、粘着シート２０１の平面図である。粘着シート２０１を構成する台紙２０２は、概ね矩形形状の厚紙である。この台紙２０２の短辺の長さは、距離Ｌ１であり、第１平板部１０５及び第２平板部１０７の一辺の長さに等しい。台紙２０２の外周の四辺のそれぞれからは、折返部２０５が突出している。また、台紙２０２の上面には、粘着剤２０３が塗布される。粘着剤２０３は、ポリブデン、ゴム等の成分を含んで構成され、有害生物が通過した際にこの有害生物を捕獲し逃げ出さない程度の粘着性を有する。この粘着剤２０３は、台紙２０２に積層配置される。そして、折返部２０５は、折り曲げられて粘着剤２０３の上に覆い被さり、粘着剤２０３に接する。使用者は、台紙２０２の底面と折返部２０５とを指で挟んで、粘着シート２０１を掴むことができる。
【００３４】
合成樹脂性誘引物２０４は、ポリプロピレン樹脂等の硬質合成樹脂原料に害獣害虫等の生物を誘引する香料を混入させて、短い円筒形状に形成される。この合成樹脂性誘引物２０４は、粘着剤２０３の上面に載置されて、台紙２０２の中央付近に位置付けられる。
【００３５】
台紙２０２において粘着剤２０３が設けられる面とは反対側の面には、粘着シート折曲部２０６が設けられる。粘着シート折曲部２０６は、台紙２０２の長辺と平行に延びる折り目である。台紙２０２の長辺と粘着シート折曲部２０６とは、距離（Ｌ１−Ｌ３）である。この距離は、ストッパ１０３の側面１０３ａと第２支持部１０６の内側面１０６ａとの間の距離に等しい（図２参照）。
【００３６】
図６（ａ）及び図６（ｂ）は、床面ＦＬに設置される有害生物捕獲器１０１を示す正面図である。上記のように構成される有害生物捕獲器１０１は、冷蔵庫の下、流し台の脇、居間の隅等、様々な場所に設置される。
【００３７】
有害生物捕獲器１０１の設置方法の一例を、図６（ａ）に基づいて説明する。この一例は、前述した第１配置状態（図１参照）を基本とする。使用者は、粘着シート２０１を折り曲げずに開口部３０１から導入され、台紙２０２を第１平板部１０５に接しさせて有害生物捕獲器カバー１０２の内部に位置付ける。これにより、粘着剤２０３はトンネル空間３０２側に向く。続いて、使用者は、第１平板部１０５の外側面を床面ＦＬに接しさせて、有害生物捕獲器１０１を床面ＦＬに載置する。このとき、第１支持部１０４や第２支持部１０６は、第２平板部１０７を上方に位置付ける。そして、折曲部１１０では、板状部材ＰＰの持つ弾性により、折り曲げられても元の板状の状態に戻ろうとする復元力が生じる。このため、第１支持部１０４及び第２支持部１０６は、このような復元力によって、第１平板部１０５と第２平板部１０７とを離反させる。その結果、トンネル空間３０２は、有害生物が通過するのに十分な大きさに広がる。
【００３８】
有害生物捕獲器１０１の設置方法の別の一例を、図６（ｂ）に基づいて説明する。この一例も、前述した第１配置状態（図１参照）を基本とする。使用者は、粘着シート２０１を折り曲げずに有害生物捕獲器カバー１０２の中に入れた状態で、第２平板部１０７を第１平板部１０５に近づけ、有害生物捕獲器１０１の全体の大きさを小さくする。このとき、第１支持部１０４及び第２支持部１０６はいずれも、折曲部１１０によって側面視「く」の字状に折り曲がる。この状態で、使用者は、有害生物捕獲器１０１を床面ＦＬに載置される冷蔵庫ＲＦと床面ＦＬとの隙間に入れる。ここで重要なのは、有害生物捕獲器１０１は、床面ＦＬと冷蔵庫ＲＦとの間に位置付けられた場合、折曲部１１０で生じる復元力によって、第１支持部１０４及び第２支持部１０６はいずれも、第１平板部１０５を床面ＦＬに、第２平板部１０７を冷蔵庫ＲＦにそれぞれ押しつける。その結果、トンネル空間３０２は、床面ＦＬと冷蔵庫ＲＦとの間にいっぱいに広がって、有害生物が通過するのに十分な大きさになる。
【００３９】
図７（ａ）及び図７（ｂ）は、床面ＦＬに設置される有害生物捕獲器１０１を示す正面図である。有害生物捕獲器１０１の設置方法のさらに別の一例を、図７（ａ）に基づいて説明する。この一例は、前述した第２配置状態（図２参照）を基本とする。使用者は、粘着シート２０１を粘着シート折曲部２０６で折り曲げて、台紙２０２を第２平板部１０７に接しさせて、有害生物捕獲器カバー１０２の内部に位置付ける。このとき、台紙２０２は、第２支持部１０６の内側面１０６ａとストッパ１０３の側面１０３ａとの間に挟まれて固定される。そして、粘着剤２０３はトンネル空間３０２側に向く。続いて、使用者は、第１支持部１０４を折曲部１１０によって折り曲げ、折れ曲がった状態の第１支持部１０４が開かないようにテープ１１１で固定する。なお、折れ曲がった状態の第１支持部１０４が開かないように固定するために、別の実施の形態として、有害生物捕獲器カバー１０２の外周を輪ゴム（図示せず）で固定するようにしてもよい。その結果、開口部３０１は二等辺三角形形状になる。
【００４０】
続いて、使用者は、第２平板部１０７の外側面を床面ＦＬに接しさせて、有害生物捕獲器１０１を床面ＦＬに載置する。このとき、使用者は、折り曲げられた折曲部１１０を冷蔵庫ＲＦと床面ＦＬとの間の狭い隙間に差し込むことができる。また、折曲部１１０が折り曲げられて固定されることにより、有害生物はトンネル空間３０２において第２支持部１０６寄りの領域を通過するようになる。ここで重要なのは、粘着シート２０１は、折り曲げられて有害生物捕獲器カバー１０２内に配置されることにより第２支持部１０６の内側面１０６ａに沿って立ち上がることになり、第２支持部１０６寄りの領域を通過する有害生物を捕獲しやすいということである。
【００４１】
有害生物捕獲器１０１の設置方法のさらに別の一例を、図７（ｂ）に基づいて説明する。この一例も、前述した第２配置状態（図２参照）を基本とする。使用者は、図７（ａ）に基づいて説明したものと同様に、有害生物捕獲器１０１の第１支持部１０４を折り曲げて固定し、粘着シート折曲部２０６で折り曲げた粘着シート２０１を第２支持部１０６の内側面１０６ａとストッパ１０３の側面１０３ａとの間に挟みこむ。続いて、使用者は、第２支持部１０６の外側面を床面ＦＬに接しさせて、有害生物捕獲器１０１を床面ＦＬに載置する。このとき、使用者は、有害生物捕獲器１０１を縦長の細い隙間、例えば冷蔵庫ＲＦと流し台ＳＫとの間に設置することができる。ここで、粘着シート折曲部２０６で折れ曲がった粘着シート２０１は、第２支持部１０６に内側面１０６ａに沿って延びる。そして、有害生物は、開口部３０１から侵入して、内側面１０６ａに沿う粘着シート２０１の粘着剤２０３の上を通過する。つまり、有害生物捕獲器１０１は、縦長の細い隙間にも設置可能である。
【００４２】
さらに別の設置方法の例として、粘着シート２０１を粘着シート折曲部２０６で折り曲げ、台紙２０２を第２支持部１０６の内側面１０６ａとストッパ１０３の側面１０３ａとの間に挟ませて第２平板部１０７に接しさせ（第２配置状態）、テープ１１１で折れ曲がった第１支持部１０４を固定することなく、第２平板部１０７の外側面を床面ＦＬに接しさせてもよい。
【００４３】
図８（ａ）ないし図８（ｃ）は、二枚の粘着シート２０１を取り付けた有害生物捕獲器１０１を示す正面図である。本実施の形態の有害生物捕獲器１０１には、トンネル空間３０２の天井となる面に、別の粘着シート２０１を装着することができる。
【００４４】
より詳細には、使用者は、粘着シート２０１を粘着シート折曲部２０６で折り曲げ、台紙２０２を第２支持部１０６の内側面１０６ａとストッパ１０３の側面１０３ａとの間に挟ませて第２平板部１０７に接しさせる（第２配置状態）。続いて、使用者は、別の粘着シート２０１Ａを、粘着シート２０１Ａの粘着剤２０３Ａをトンネル空間３０２に向けて折り曲げることなく開口部３０１から導入し、粘着シート２０１Ａの台紙２０２Ａを第１平板部１０５の内側面に接しさせる。続いて、使用者は、第１支持部１０４及び第２支持部１０６の両方を内側に突出するよう折り曲げる。このようにして二枚の粘着シート２０１，２０１Ａを内部に取り付けた有害生物捕獲器１０１を、第２平板部１０７の外側面を床面ＦＬに接しさせる向きに向けて床面ＦＬに載置した場合（図８（ａ）参照）、粘着シート２０１Ａは、第１支持部１０４と第２支持部１０６とに挟まれ、落下しない。
【００４５】
別の方法として、使用者は、粘着シート２０１を折り曲げずに開口部３０１から導入し、台紙２０２を第１平板部１０５に接しさせる（第１配置状態）。続いて、使用者は、別の粘着シート２０１Ａを、粘着シート２０１Ａの粘着剤２０３Ａをトンネル空間３０２に向けて折り曲げることなく開口部３０１から導入し、粘着シート２０１Ａの台紙２０２Ａを第２平板部１０７の内側面に接しさせる。続いて、使用者は、第１支持部１０４及び第２支持部１０６の両方を内側に突出するよう折り曲げる。このようにして二枚の粘着シート２０１，２０１Ａを内部に取り付けた有害生物捕獲器１０１を、第１平板部１０５の外側面を床面ＦＬに接しさせる向きに向けて床面ＦＬに載置した場合（図８（ｂ）参照）、粘着シート２０１Ａは、第１支持部１０４と第２支持部１０６とに挟まれ、落下しない。
【００４６】
なお、図８（ａ）に示した有害生物捕獲器１０１に対して、折れ曲がった状態の第１支持部１０４が開かないようにテープ１１１で固定してもよい（図８（ｃ）参照）。
【００４７】
図６（ａ）、図６（ｂ）、図７（ａ）、図７（ｂ）、図８（ａ）〜（ｃ）のいずれの方法で設置された有害生物捕獲器１０１においても、粘着シート２０１は、合成樹脂性誘引物２０４に誘引されて開口部３０１から侵入した有害害虫を、粘着剤２０３によって捕獲する。とりわけ、図８（ａ）〜（ｃ）に示したように二枚の粘着シート２０１を有害生物捕獲器１０１に取り付けた場合、粘着シート２０１が一枚の場合に比べ、粘着剤２０３，２０３Ａがトンネル空間３０２の内周面の多くの部分を覆う。この場合、トンネル空間３０２に侵入した有害生物は、粘着剤２０３，２０３Ａに接触しやすくなる。
【００４８】
また、使用者は、必要に応じて、開口部３０１から粘着シート２０１を取り出し、別の新たな粘着シート２０１を開口部３０１から導入して有害生物捕獲器カバー１０２内に設置する。
【００４９】
このように、本実施の形態の有害生物捕獲器１０１は、さまざまな形状の設置箇所に設置することができる。そして、有害生物捕獲器１０１では、有害生物捕獲器カバー１０２をどのような形状に変更しても粘着シート２０１の上方には有害生物捕獲器カバー１０２が位置し、粘着剤２０３にホコリが溜まるのを防ぐことができる。また、粘着シート２０１は有害生物捕獲器カバー１０２に覆われており、使用者、家具及び食器が粘着剤２０３に接触することが防がれている。さらに、有害生物捕獲器１０１では、粘着シート２０１は、第１平板部１０５の内側面に載置されたり、ストッパ１０３と第２支持部１０６との間に挟まれたりして有害生物捕獲器カバー１０２の内部に配置される。このため、使用者は、粘着シート２０１を交換しやすい。以上のように、本実施の形態の有害生物捕獲器１０１は、様々な場所に設置可能で、有害生物の捕獲性能や耐久性、堅牢性に優れている。
【００５０】
図９は、板状部材ＰＰの折り曲げ箇所の加工方法の変形例を拡大して示す斜視図である。一枚の板状部材ＰＰを折り曲げ加工する場合、切断箇所ＣＡ、内側切れ込みＣＢ及び外側切れ込みＣＣに対して、様々な加工を加えることができる。例えば、図９に示すように、切断して表れる網目形状の開口を封止する加熱処理を外側切れ込みＣＣに対してのみ行い、切断箇所ＣＡ及び内側切れ込みＣＢに対しては加熱処理を行わずに網目形状の開口が表れるようにしてもよい。また、図示はしないが、切断箇所ＣＡ、内側切れ込みＣＢ及び外側切れ込みＣＣの全てに対して加熱処理を行わず、切断箇所ＣＡ、内側切れ込みＣＢ及び外側切れ込みＣＣのいずれにおいても網目形状の開口が見えるようにしてもよい。
【符号の説明】
【００５１】
１０１          有害生物捕獲器
１０２          有害生物捕獲器カバー
１０３          ストッパ
１０４          第１支持部（他方の支持部）
１０５          第１平板部（他方の平板部）
１０６          第２支持部（一方の支持部）
１０７          第２平板部（一方の平板部）
２０１          粘着シート
２０２          台紙
２０３          粘着剤
２０６          粘着シート折曲部
３０２          トンネル空間
ＣＢ            内側切れ込み（折り目）
ＣＣ            外側切れ込み（折り目）
（Ｌ１−Ｌ３）  所定距離
【図１】
2011024450.tif 000003
【図２】
2011024450.tif 000004
【図３】
2011024450.tif 000005
【図４】
2011024450.tif 000006
【図５】
2011024450.tif 000007
【図６】
2011024450.tif 000008
【図７】
2011024450.tif 000009
【図８】
2011024450.tif 000010
【図９】
2011024450.tif 000011